(57)【要約】【課題】  正確に計量された被計量物品を連続して得ることのできる計量コンベヤ装置及びこれを具備した計量装置を提供すること。【解決手段】  計量装置１は、無端ベルト３上に載置された粘着性を有した被計量物品２を当該無端ベルト３の走行により放出するベルトコンベヤ装置４及び無端ベルト３上に載置された被計量物品２を計量する計量器５とを具備している複数の計量コンベヤ装置６と、計量すべき被計量物品２を複数の無端ベルト３上に夫々供給する供給手段７と、複数の計量コンベヤ装置６による計量によって得られた各被計量物品２の計量値の組み合わせを選択する選択部８を有していると共に選択部８における選択結果に基づいて複数の計量コンベヤ装置６の夫々による被計量物品２の放出を制御する制御手段９と、複数の計量コンベヤ装置６から夫々放出される被計量物品２を集合させる集合手段１０とを具備している。【選択図】図１
2005315579.tif 000002
【特許請求の範囲】
【請求項１】
粘着性を有した被計量物品が載置される走行自在な無端ベルトを有していると共にこの無端ベルト上に載置された被計量物品を当該無端ベルトの走行により放出するベルトコンベヤ装置と、このベルトコンベヤ装置を支持していると共に無端ベルト上に載置された被計量物品を計量する計量器とを具備している計量コンベヤ装置。
【請求項２】
無端ベルトの被計量物品に接する面には、シリコンが含まれている計量コンベヤ装置。
【請求項３】
ベルトコンベヤ装置は、無端ベルトを走行自在に張設している駆動ドラム及び従動ドラムを具備しており、ベルトコンベヤ装置の下流端側に配されている駆動ドラム又は従動ドラムの径は、被計量物品を無端ベルトから剥離させることができる程度に小さい請求項１又は２に記載の計量コンベヤ装置。
【請求項４】
ベルトコンベヤ装置の下流端側に配された駆動ドラム又は従動ドラムの径は、１０ｍｍ以下である請求項３に記載の計量コンベヤ装置。
【請求項５】
ベルトコンベヤ装置は、無端ベルトを走行自在に張設している駆動ドラム及び従動ドラムと、無端ベルトを走行させるべく駆動ドラムを回転駆動させる駆動力を生じる駆動源と、この駆動源からの駆動力を駆動ドラムに伝達することができるように駆動源と駆動ドラムとを分離自在に連結する連結機構とを具備している請求項１から４のいずれか一項に記載の計量コンベヤ装置。
【請求項６】
連結機構は、駆動源及び駆動ドラムに連結された一対の回転軸と、一対の回転軸に夫々固着されていると共に一対の回転軸の回転方向に関して夫々互いに係合する一対の係合部材とを具備しており、駆動源側の係合部材の一の回転方向における回転により駆動源側の係合部材と駆動ドラム側の係合部材とを互いに係合させる一方、駆動源側の係合部材の他の回転方向における回転により駆動源側の係合部材と駆動ドラム側の係合部材との係合を解除させるようになっている請求項５に記載の計量コンベヤ装置。
【請求項７】
一対の係合部材の夫々は、カップリングからなる請求項６に記載の計量コンベヤ装置。
【請求項８】
請求項１から７のいずれか一項に記載の複数の計量コンベヤ装置と、計量すべき被計量物品を複数の計量コンベヤ装置の無端ベルト上に夫々供給する供給手段と、複数の計量コンベヤ装置による計量によって得られた各被計量物品の計量値を組み合わせた値が予め設定された目標値と同一となるように当該組み合わせを選択する選択部を有していると共にこの選択部における選択結果に基づいて複数の計量コンベヤ装置の夫々による被計量物品の放出を制御する制御手段と、複数の計量コンベヤ装置から夫々放出される被計量物品を集合させる集合手段とを具備している計量装置。
【請求項９】
各無端ベルトは、計量された一の被計量物品が無端ベルト上から放出されないように且つ供給手段により一の被計量物品の位置とは別の位置に他の被計量物品が供給されるように、走行されるようになっており、各計量器は、一の被計量物品の計量値に対する増加分を他の被計量物品の計量値とするようになっている請求項８に記載の計量装置。
【請求項１０】
選択部は、各計量コンベヤ装置による計量によって得られた一の被計量物品の計量値の組み合わせを選択し、当該選択により選択されなかった組み合わせを構成する一の被計量物品の計量値と各計量コンベヤ装置による計量によって得られた他の被計量物品の計量値の組み合わせを選択するようになっている請求項９に記載の計量装置。
【発明の詳細な説明】
【技術分野】
【０００１】
本発明は、被計量物品、特に粘着性を有した佃煮昆布等からなる被計量物品を計量する計量コンベヤ装置及びこの計量コンベヤ装置を具備した計量装置に関する。
【背景技術】
【０００２】
【特許文献１】特開平５−１２６６１８号公報
【０００３】
例えば特許文献１においては、佃煮昆布等の粘着性を有した被計量物品を計量すると共に計量した被計量物品をその自重に基づいて落下させる計量器としての複数の計量ホッパを有した計量装置が提案されている。
【発明の開示】
【発明が解決しようとする課題】
【０００４】
ところで、斯かる計量装置では、計量した被計量物品をその自重に基づいて落下させる計量ホッパにより粘着性を有した被計量物品を計量するために、計量ホッパに被計量物品が付着してそのまま残存する虞があり、而して、正確に計量された被計量物品を連続して得ることが困難である。
【０００５】
本発明は、前記諸点に鑑みてなされたものであり、その目的とするところは、正確に計量された被計量物品を連続して得ることのできる計量コンベヤ装置及びこれを具備した計量装置を提供することにある。
【課題を解決するための手段】
【０００６】
本発明の第一の態様の計量コンベヤ装置は、粘着性を有した被計量物品が載置される走行自在な無端ベルトを有していると共にこの無端ベルト上に載置された被計量物品を当該無端ベルトの走行により放出するベルトコンベヤ装置と、このベルトコンベヤ装置を支持していると共に無端ベルト上に載置された被計量物品を計量する計量器とを具備している。
【０００７】
第一の態様の計量コンベヤ装置によれば、特に被計量物品を無端ベルトの走行により放出するベルトコンベヤ装置を具備しているために、計量器により計量した被計量物品を無端ベルトから放出する際に、当該被計量物品を無端ベルトから剥離させるように被計量物品に無端ベルトの走行に基づく慣性力を与えることができて、被計量物品が無端ベルトに付着してそのまま残存する虞を低減させることができ、而して、正確に計量された被計量物品を連続して得ることができる。尚、被計量物品は、例えば佃煮昆布等の集合体からなる。
【０００８】
本発明においては、その第二の態様の計量コンベヤ装置のように、無端ベルトの被計量物品に接する面には、シリコンが含まれていてもよい。
【０００９】
第二の態様の計量コンベヤ装置によれば、上述の構成を具備しているために、被計量物品が無端ベルトに付着する虞を低減させ得る。
【００１０】
本発明においては、その第三の態様の計量コンベヤ装置のように、ベルトコンベヤ装置は、無端ベルトを走行自在に張設している駆動ドラム及び従動ドラムを具備していてもよく、ベルトコンベヤ装置の下流端側に配されている駆動ドラム又は従動ドラムの径は、被計量物品を無端ベルトから剥離させることができる程度に小さくてもよい。
【００１１】
本発明においては、その第四の態様の計量コンベヤ装置のように、ベルトコンベヤ装置の下流端側に配された駆動ドラム又は従動ドラムの径は、１０ｍｍ以下であってもよい。
【００１２】
第三又は第四の態様の計量コンベヤ装置によれば、上述の構成を具備しているために、被計量物品の無端ベルトからの剥離をより確実に行うことができる。
【００１３】
本発明においては、その第五の態様の計量コンベヤ装置のように、ベルトコンベヤ装置は、無端ベルトを走行自在に張設している駆動ドラム及び従動ドラムと、無端ベルトを走行させるべく駆動ドラムを回転駆動させる駆動力を生じる駆動源と、この駆動源からの駆動力を駆動ドラムに伝達することができるように駆動源と駆動ドラムとを分離自在に連結する連結機構とを具備していてもよい。
【００１４】
第五の態様の計量コンベヤ装置によれば、特に駆動源と駆動ドラムとを分離自在に連結する連結機構を具備しているために、例えば、無端ベルト上の被計量物品を放出する場合には連結機構により駆動源と駆動ドラムとを連結させることができる一方、無端ベルト上の被計量物品を計量する場合には駆動源と駆動ドラムとの連結を解除すべくこれらを分離させることができ、而して、被計量物品をより正確に計量することができる。
【００１５】
本発明においては、その第六の態様の計量コンベヤ装置のように、連結機構は、駆動源及び駆動ドラムに連結された一対の回転軸と、一対の回転軸に夫々固着されていると共に一対の回転軸の回転方向に関して夫々互いに係合する一対の係合部材とを具備していてもよく、駆動源側の係合部材の一の回転方向における回転により駆動源側の係合部材と駆動ドラム側の係合部材とを互いに係合させる一方、駆動源側の係合部材の他の回転方向における回転により駆動源側の係合部材と駆動ドラム側の係合部材との係合を解除させるようになっていてもよい。
【００１６】
本発明においては、その第七の態様の計量コンベヤ装置のように、一対の係合部材の夫々は、カップリングからなっていてもよい。
【００１７】
本発明の第一の態様の計量装置は、上述の各態様の複数の計量コンベヤ装置と、計量すべき被計量物品を複数の計量コンベヤ装置の無端ベルト上に夫々供給する供給手段と、複数の計量コンベヤ装置による計量によって得られた各被計量物品の計量値を組み合わせた値が予め設定された目標値と同一となるように当該組み合わせを選択する選択部を有していると共にこの選択部における選択結果に基づいて複数の計量コンベヤ装置の夫々による被計量物品の放出を制御する制御手段と、複数の計量コンベヤ装置から夫々放出される被計量物品を集合させる集合手段とを具備している。
【００１８】
第一の態様の計量装置によれば、上述の構成を具備しているために、複数の計量コンベヤ装置による被計量物品の正確な計量に基づいて、所望量の被計量物品を連続して得ることができる。
【００１９】
本発明においては、その第二の態様の計量装置のように、各無端ベルトは、計量された一の被計量物品が無端ベルト上から放出されないように且つ供給手段により一の被計量物品の位置とは別の位置に他の被計量物品が供給されるように、走行されるようになっていてもよく、各計量器は、一の被計量物品の計量値に対する増加分を他の被計量物品の計量値とするようになっていてもよい。
【００２０】
本発明においては、第三の態様の計量装置のように、選択部は、各計量コンベヤ装置による計量によって得られた一の被計量物品の計量値の組み合わせを選択し、当該選択により選択されなかった組み合わせを構成する一の被計量物品の計量値と各計量コンベヤ装置による計量によって得られた他の被計量物品の計量値の組み合わせを選択するようになっていてもよい。
【００２１】
第二又は第三の態様の計量装置によれば、上述の構成を具備しているために、一つの計量器により複数の被計量物品を計量することができ、従って、計量器の数を減少させることができて装置の設置スペースを縮小させ得ると共に計量効率をも向上させ得る。
【発明の効果】
【００２２】
本発明によれば、正確に計量された被計量物品を連続して得ることのできる計量コンベヤ装置及びこれを具備した計量装置を提供し得る。
【発明を実施するための最良の形態】
【００２３】
次に、本発明の実施の形態の例を、図に示す例に基づいて更に詳細に説明する。尚、本発明はこれら例に何等限定されないのである。
【実施例】
【００２４】
図１から図７において、本例の計量装置１は、粘着性を有した被計量物品２が載置されるＡ方向に走行自在な無端ベルト３を有していると共に無端ベルト３上に載置された被計量物品２を当該無端ベルト３のＡ方向の走行により放出するベルトコンベヤ装置４及びベルトコンベヤ装置４を支持していると共に無端ベルト３上に載置された被計量物品２を計量する計量器５とを具備している複数の計量コンベヤ装置６と、計量すべき被計量物品２を複数の計量コンベヤ装置６の無端ベルト３上に夫々供給する供給手段７と、複数の計量コンベヤ装置６による計量によって得られた各被計量物品２の計量値を組み合わせた値が予め設定された目標値と同一となるように当該組み合わせを選択する選択部８を有していると共に選択部８における選択結果に基づいて複数の計量コンベヤ装置６の夫々による被計量物品２の放出を制御する制御手段９と、複数の計量コンベヤ装置６から夫々放出される被計量物品２を集合させる集合手段１０とを具備している。
【００２５】
被計量物品２は、粘着性を有した食品の単体又は集合体からなっていてもよく、本例では、佃煮昆布等の集合体からなる。
【００２６】
本例ではＸ方向で夫々互いに並んで配されている複数の計量コンベヤ装置６は、夫々同様に構成されているので、以下、一つの計量コンベヤ装置６について詳細に説明し、他の計量コンベヤ装置６については、図面に適宜同符号を付してこれらの詳細な説明を省略する。
【００２７】
ベルトコンベヤ装置４は、上述の無端ベルト３と、無端ベルト３をＡ方向に走行自在に張設している駆動ドラム１５及び従動ドラム１６と、無端ベルト３の張力を調整する張力調整ドラム１９と、無端ベルト３をＡ方向に走行させるべく駆動ドラム１５を回転駆動させる駆動力を生じる駆動源としての電動モータ１７と、電動モータ１７からの駆動力を駆動ドラム１５に伝達することができるように電動モータ１７と駆動ドラム１５とを分離自在に連結する連結機構１８とを具備している。無端ベルト３、駆動ドラム１５、従動ドラム１６及び張力調整ドラム１９は、支持板２０を介して計量器５に取り付けられている。
【００２８】
可撓性を有していると共に水平方向に伸びた無端ベルト３は、二つの被計量物品２が間隔１２をもって載置される程度の長さを有しており、本例では１００ｍｍ程度の長さを有している。無端ベルト３の被計量物品２に接する外側の面２１には、シリコンが含まれている。無端ベルト３の内側の面２２は、駆動ドラム１５、従動ドラム１６及び張力調整ドラム１９に当接している。無端ベルト３は、計量された被計量物品２ａが無端ベルト３上から放出されないように且つ供給手段７により被計量物品２ａの位置とは別の位置に被計量物品２ｂが供給されるように、走行されるようにもなっている。
【００２９】
駆動ドラム１５は、本例ではベルトコンベヤ装置４の上流端側に配されており、従動ドラム１６は、本例ではベルトコンベヤ装置４の下流端側に配されている。
【００３０】
従動ドラム１６の径は、被計量物品２を無端ベルト３から剥離させることができる程度に小さい。従動ドラム１６は、１０ｍｍ以下の径を有していてもよく、例えば８ｍｍの径を有していてもよい。
【００３１】
張力調整ドラム１９は、その位置が適宜調節されることにより無端ベルト３の張力を調整するようになっている。
【００３２】
連結機構１８は、電動モータ１７に連結された回転軸２５と、駆動ドラム１５に歯車機構２４を介して連結された回転軸２６と、回転軸２５及び２６に夫々固着されていると共に回転軸２５及び２６の回転方向に関して夫々互いに係合する一対の係合部材２７及び２８とを具備している。
【００３３】
回転軸２５及び２６の夫々の一端は、当該回転軸２５及び２６の軸方向において夫々互いに対向している。回転軸２５の他端は、電動モータ１７の出力回転軸に固着されており、回転軸２６の他端は、駆動ドラム１５の一端に固着されている。
【００３４】
電動モータ１７側に配された係合部材２７は、本例では回転軸２５の一端に固着されたカップリング２９からなる。駆動ドラム１５側に配された係合部材２８は、本例では回転軸２６の一端に固着されたカップリング３０からなる。
【００３５】
カップリング２９は、環状本体３１と、環状本体３１に一体的に設けられていると共にカップリング３０に向かって突出した複数の突部３２とを具備している。環状本体３１の中空部には、回転軸２５の一端が配されている。
【００３６】
カップリング３０は、環状本体３３と、環状本体３３に一体的に設けられていると共にカップリング２９に向かって突出している複数の突部３４とを具備している。環状本体３３の中空部には、回転軸２６の一端が配されている。
【００３７】
複数の突部３２は、カップリング２９及び３０の回転方向、本例ではＲ１方向及びＲ２方向において間隔３５をもって複数の突部３４に対向している。
【００３８】
以上の連結機構１８は、電動モータ１７の作動に基づくカップリング２９のＲ１方向の回転により図７に示すように複数の突部３２を複数の突部３４に当接させてカップリング２９及び３０を互いに係合させることで、カップリング２９及び３０、回転軸２５及び２６並びに歯車機構２４を介して電動モータ１７と駆動ドラム１５とを連結させるようになっている一方、図７に示すようにカップリング３０と係合状態にあるカップリング２９のＲ２方向の回転により図４に示すようにカップリング２９とカップリング３０との係合を解除させることで、電動モータ１７と駆動ドラム１５とを機械的に分離させるようになっている。尚、回転軸２５の回転軸２６に対するＲ２方向の回転に基づく電動モータ１７と駆動ドラム１５との分離は、計量器５による被計量物品２の計量の直前に行われる。
【００３９】
計量器５は、無端ベルト３上に載置された被計量物品２ａ並びに無端ベルト３、駆動ドラム１５、従動ドラム１６、張力調整ドラム１９及び支持板２０の総重量を測定する測定部としてのロードセル（図示せず）と、このロードセルにより測定した総重量から予め測定された無端ベルト３、駆動ドラム１５、従動ドラム１６、張力調整ドラム１９及び支持板２０の重量を差し引いて被計量物品２の計量値を算出する算出部（図示せず）とを具備している。計量器５は、本例では、既に計量された被計量物品２ａに加えて被計量物品２ｂが無端ベルト３上に載置された場合には、ロードセルにより被計量物品２ａ及び２ｂと無端ベルト３、駆動ドラム１５、従動ドラム１６、張力調整ドラム１９及び支持板２０との総重量を測定し、算出部において当該測定された総重量から既に測定されていた被計量物品２ａ並びに無端ベルト３、駆動ドラム１５、従動ドラム１６、張力調整ドラム１９及び支持板２０の総重量を差し引いて得た増加分を被計量物品２ｂの計量値として算出するようにもなっている。
【００４０】
供給手段７は、被計量物品２を収容する収容皿４１と、収容皿４１からの被計量物品２をベルトコンベヤ装置４の作動に応じて待機させる待機ホッパ４２と、収容皿４１から送り出される被計量物品２を待機ホッパ４２に向かって間欠的に移動させるベルトコンベヤ装置４３とを具備している。収容皿４１には、未だ一定の分量に分けられていない被計量物品２が収容されている。
【００４１】
ベルトコンベヤ装置４３は、駆動ドラム４４及び従動ドラム４５と、駆動ドラム４４と従動ドラム４５とにより走行自在に張設された無端ベルト４６と、駆動ドラム４４、従動ドラム４５及び無端ベルト４６を収容皿４１に取り付けている取付板４７と、駆動ドラムを回転駆動させる回転駆動手段（図示せず）とを具備している。回転駆動手段は、電動モータ等の出力回転軸の回転に基づいて駆動ドラム４４を間欠的に回転駆動させるようになっている。斯かるベルトコンベヤ装置４３は、駆動ドラム４４の回転駆動による無端ベルト４６の間欠的なＢ方向の走行により無端ベルト４６上に載置された被計量物品２を待機ホッパ４２に向かって移動させ、この移動の結果、一定量の被計量物品２を待機ホッパ４２に供給するようになっている。
【００４２】
待機ホッパ４２は、ベルトコンベヤ装置４３からの被計量物品２を保持するシャッタ４８と、シャッタ４８を電動モータ等の作動により開閉させる開閉機構４９とを具備している。開閉機構４９は、ベルトコンベヤ装置４の作動により無端ベルト３がＡ方向に走行した後に、シャッタ４８の開放動作を行って被計量物品２を落下させることにより当該被計量物品２を無端ベルト３上に供給するようになっている。尚、開閉機構４９は、被計量物品２を無端ベルト３上に供給した後にシャッタ４８の閉鎖動作を行うようになっている。
【００４３】
制御手段９は、上述の選択部８と、選択部８における選択結果に基づいて選択された被計量物品２が載置されたベルトコンベヤ装置４を作動させるように電動モータ１７に命令する命令部５１とを具備している。斯かる制御手段９は、例えばいわゆるパーソナルコンピュータによって具体化され得る。
【００４４】
選択部８は、各計量コンベヤ装置６による計量によって得られた各被計量物品２ａの計量値の組み合わせを選択するようになっている。選択部８は、被計量物品２ａの計量値の組み合わせの選択により選択されなかった組み合わせを構成する被計量物品２ａの計量値と各計量コンベヤ装置６による計量によって得られた被計量物品２ｂの計量値の組み合わせをも選択するようになっている。尚、選択部８は、本例では組み合わせた値と目標値とが同一か否かの判定に関して、目標値の許容誤差分をも同一とみなして判定する。
【００４５】
集合手段１０は、本例では複数のベルトコンベヤ装置４の無端ベルト３の下流端の下方に配されていると共にＸ方向に伸びた集合コンベヤ装置５５と、集合コンベヤ装置５５の下流端の下方に配されていると共に当該下流端から落下される各被計量物品２を受けて集合させる集合受け部（図示せず）とを具備している。集合コンベヤ装置５５は、無端ベルト３の下流端から落下される被計量物品２を無端ベルト５６の走行により集合受け部に向かって搬送して当該被計量物品２を集合受け部に移行させるようになっている。
【００４６】
以下、本例の計量装置１により被計量物品２ａ及び２ｂを計量する場合について説明する。まず、図５に示すように、開閉機構４９の作動により一定量の被計量物品２ａを保持しているシャッタ４８の開放動作を行って当該被計量物品２ａを無端ベルト３上に落下させることで、無端ベルト３の部位Ｐ１に被計量物品２ａを供給する。
【００４７】
次に、計量器５により無端ベルト３の部位Ｐ１における被計量物品２ａを計量し、当該計量後、図６に示すように、電動モータ１７の作動により回転軸２５をＲ１方向に回転させ、回転軸２５の回転により互いに係合されたカップリング２９及び３０を介して回転軸２６をＲ１方向に回転させ、回転軸２６の回転により歯車機構２４を介して駆動ドラム１５を回転駆動させることで、無端ベルト３をＡ方向に走行させ、この走行により被計量物品２ａを部位Ｐ１よりもベルトコンベヤ装置４の下流端側の部位Ｐ２に配する。ここで、選択部８は、上述のように各被計量物品２ａの計量値の組み合わせを選択する第一の選択を行う。また、供給手段７は、被計量物品２ａの供給後、開閉機構４９の作動によりシャッタ４８の閉鎖動作を行い、その後、ベルトコンベヤ装置４３の間欠的な作動により待機ホッパ４２に一定量の被計量物品２ｂを供給し、このように供給された被計量物品２を図６に示すように待機ホッパ４２で待機させ、被計量物品２ａが部位Ｐ２に配された後、供給手段７により部位Ｐ１に被計量物品２ａとは別の集合体である被計量物品２ｂを供給する。
【００４８】
次に、図１及び図２に示すように部位Ｐ１に配された被計量物品２ｂを計量器５によって計量する。ここで、選択部８は、第一の選択により選択されなかった被計量物品２ａの計量値と各被計量物品２ｂの計量値との組み合わせを選択する第二の選択を行い、続いて、第二の選択により選択されなかった各被計量物品２ｂの計量値の組み合わせを選択する第三の選択を行う。
【００４９】
次に、ベルトコンベヤ装置４は、選択部８の選択結果に基づく命令部５１からの命令に従い、第一の選択により選択された組み合わせの対象となる被計量物品２ａが載置されている無端ベルト３の夫々をＡ方向に走行させて当該被計量物品２ａを下流端側から放出し、当該放出により落下される各被計量物品２ａは無端ベルト５６上に載置される。無端ベルト５６上の各被計量物品２ａは、集合コンベヤ装置５５の作動により集合受け部に移行されて互いに混合される。尚、被計量物品２ａを放出したベルトコンベヤ装置４の無端ベルト３の部位Ｐ１には、供給手段７により新たな被計量物品２が供給される。
【００５０】
次に、ベルトコンベヤ装置４は、命令部５１からの命令に従い、第二の選択により選択された組み合わせの対象となる被計量物品２ａ及び２ｂが載置されている無端ベルト３の夫々をＡ方向に走行させて当該被計量物品２ａ及び２ｂを下流端側から放出する。当該放出により落下されて無端ベルト５６上に載置された被計量物品２ａ及び２ｂは、集合コンベヤ装置５５の作動により集合受け部に移行されて互い混合される。尚、被計量物品２ａ及び２ｂが混合されてなる被計量物品２と、先に混合された被計量物品２ａからなる被計量物品２とは夫々別個の集合体とされる。
【００５１】
次に、ベルトコンベヤ装置４は、命令部５１からの命令に従い、第三の選択により選択された組み合わせの対象となる被計量物品２ｂが載置されている無端ベルト３の夫々をＡ方向に走行させて当該被計量物品２ｂを下流端側から放出する。当該放出により落下されて無端ベルト５６上に載置された被計量物品２ｂは、集合コンベヤ装置５５の作動により集合受け部に移行されて互いに混合される。尚、被計量物品２ｂ同士が混合されてなる被計量物品もまた、被計量物品２ａ及び２ｂが混合されてなる被計量物品２と被計量物品２ａ同士が混合されてなる被計量物品２とは夫々別個の集合体とされる。本例の計量装置１は、上述のようにして被計量物品２ａ及び２ｂを計量する。
【００５２】
以上の計量装置１によれば、粘着性を有した被計量物品２が載置される走行自在な無端ベルト３を有していると共に無端ベルト３上に載置された被計量物品２を当該無端ベルト３の走行により放出するベルトコンベヤ装置４と、ベルトコンベヤ装置４を支持していると共に無端ベルト３上に載置された被計量物品２を計量する計量器５とを具備しているために、計量器５により計量した被計量物品２を無端ベルト３から放出する際に、当該被計量物品２を無端ベルト３から剥離させるように被計量物品２に無端ベルト３のＡ方向の走行に基づくＡ方向の慣性力を与えることができて、被計量物品２が無端ベルト３に付着して残存する虞を低減させることができ、而して、正確に計量された被計量物品２を連続して得ることができる。
【００５３】
計量装置１によれば、無端ベルト３の被計量物品２に接する面２１には、シリコンが含まれているために、被計量物品２が無端ベルト３に付着する虞を低減させ得る。
【００５４】
計量装置１によれば、ベルトコンベヤ装置４の下流端側に配されている駆動ドラム１５又は従動ドラム１６の径は、被計量物品２を無端ベルト３から剥離させることができる程度に小さいために、被計量物品２の無端ベルト３からの剥離をより確実に行うことができる。
【００５５】
計量装置１によれば、ベルトコンベヤ装置４は、無端ベルト３を走行自在に張設している駆動ドラム１５及び従動ドラム１６と、無端ベルト３を走行させるべく駆動ドラム１５を回転駆動させる駆動力を生じる駆動源としての電動モータ１７と、電動モータ１７からの駆動力を駆動ドラム１５に伝達することができるように電動モータ１７と駆動ドラム１５とを分離自在に連結する連結機構１８とを具備しているために、無端ベルト３上の被計量物品２を放出する場合には連結機構１８により電動モータ１７と駆動ドラム１５とを連結させることができる一方、無端ベルト３上の被計量物品２を計量する場合には電動モータと駆動ドラム１６との連結を解除すべくこれらを分離させることができ、而して、被計量物品２をより正確に計量することができる。
【００５６】
計量装置１によれば、各無端ベルト３は、計量された被計量物品２ａが無端ベルト３上から放出されないように且つ供給手段７により被計量物品２ａの位置とは別の位置に被計量物品２ｂが供給されるように、走行されるようになっており、各計量器５は、被計量物品２ａの計量値に対する増加分を被計量物品２ｂの計量値とするようになっており、また、選択部８は、各計量コンベヤ装置６による計量によって得られた被計量物品２ａの計量値の組み合わせを選択し、当該選択により選択されなかった組み合わせを構成する被計量物品２ａの計量値と各計量コンベヤ装置６による計量によって得られた被計量物品２ｂの計量値の組み合わせを選択するようになっているために、一つの計量器５により複数の被計量物品２ａ及び２ｂを計量することができ、従って、計量器５を減少させることができて計量装置１の設置スペースを縮小させ得ると共に計量効率をも向上させ得る。
【００５７】
尚、本例の計量装置１は、被計量物品２が部位Ｐ１及びＰ２に載置される無端ベルト３を具備しているが、これに代えて、一つの被計量物品２が載置されるようになっている無端ベルトを具備していてもよく、斯かる場合には、選択部８は、各無端ベルト３上の被計量物品２の計量値の組み合わせを選択するようになっていてもよい。
【図面の簡単な説明】
【００５８】
【図１】本発明の実施の形態の例の正面説明図である。
【図２】図１に示す例の平面説明図である。
【図３】図１に示す例の主に係合部材の説明図である。
【図４】図３に示す例のＩＶ−ＩＶ線矢視断面説明図である。
【図５】図１に示す例の動作説明図である。
【図６】図１に示す例の動作説明図である。
【図７】図１に示す例の主に係合部材の動作説明図である。
【符号の説明】
【００５９】
１  計量装置
２、２ａ、２ｂ  被計量物品
３  無端ベルト
４  ベルトコンベヤ装置
５  計量器
６  計量コンベヤ装置
７  供給手段
８  選択部
９  制御手段
１０  集合手段
【図１】
2005315579.tif 000003
【図２】
2005315579.tif 000004
【図３】
2005315579.tif 000005
【図４】
2005315579.tif 000006
【図５】
2005315579.tif 000007
【図６】
2005315579.tif 000008
【図７】
2005315579.tif 000009